(57)【特許請求の範囲】
【請求項１】
上部が開放された有底箱形状を呈し、底部に開口穴が形成されたタンク本体、及び該タンク本体の内方に移動自在に支持されて、前記開口穴を閉塞する閉塞位置と前記開口穴を開放する開放位置のいずれか一方に選択的に配置可能な閉塞部材を備え、ホッパから溢れたコインが前記開放された上部から流入する補助タンクと、
前記補助タンクを遊技機本体内に装着した場合に、前記タンク本体の周壁に形成された穴部から前記タンク本体の内方に挿入されて前記補助タンク内のコインの貯留状態を検出するコイン貯留状態検出手段と、
を有し、
前記コイン貯留状態検出手段は、前記タンク本体内において互いに上下に離間して配される、底部側の下部側検出手段及び該下部側検出手段より上方にある上部側検出手段を有し、
前記閉塞部材は、前記閉塞位置に配置された状態で前記補助タンクが遊技機本体内に装着された場合に、前記閉塞位置から前記開放位置に移動する途中において、前記タンク本体の底部側に位置する前記下部側検出手段に当接して移動が規制されることを特徴とする遊技機。
【請求項２】
上部が開放された有底箱形状を呈し、底部に開口穴が形成されたタンク本体、及び該タンク本体の内方に回動自在に支持されて、前記開口穴を閉塞する閉塞位置と前記開口穴を開放する開放位置のいずれか一方に選択的に配置可能な閉塞部材を備え、ホッパから溢れたコインが前記開放された上部から流入する補助タンクと、
前記補助タンクを遊技機本体内に装着した場合に、前記タンク本体の周壁に形成された穴部から前記タンク本体の内方に挿入されて前記補助タンク内のコインの貯留状態を検出するコイン貯留状態検出手段と、
を有し、
前記コイン貯留状態検出手段は、前記タンク本体内において互いに上下に離間して配される、底部側の下部側検出手段及び該下部側検出手段より上方にある上部側検出手段を有し、
前記閉塞部材は、前記閉塞位置に配置された状態で前記補助タンクが遊技機本体内に装着された場合に、前記閉塞位置から前記開放位置に回動する途中において、前記タンク本体の底部側に位置する前記下部側検出手段に当接して回動が規制されることを特徴とする遊技機。
【請求項３】
前記補助タンクのタンク本体内には、前記下部側検出手段に前記閉塞部材を当接させた状態で前記閉塞部材と前記タンク本体の内面との間に介在されるように庇部が設けられていることを特徴とする請求項２に記載の遊技機。
【発明の詳細な説明】
【技術分野】
【０００１】
本発明は、スロットマシン等の遊技機に関するものである。
【背景技術】
【０００２】
特許文献１には、遊技機内でホッパから溢れた遊技媒体の自動回収と手動回収の両方に
対応可能とする補助タンクを有する遊技機が示されている。
【０００３】
遊技機本体の底面には、遊技媒体の自動回収に対応可能とするための回収穴が予め開口
形成されており、外部と遊技機本体の内部とが連通されている。
【０００４】
遊技機は、遊技ホールの島設備に設置され、その島設備が遊技媒体の自動回収装置を備
えている場合には、回収穴の下方に自動回収装置の回収手段が連続して配置されるように
設置される。
【０００５】
補助タンクは、補助タンクの底壁部に、開口穴を形成したい部分を取り囲むように板厚
方向に貫通する切り込み部が複数箇所の接続リブを残して断続的に形成されており、この
複数箇所の接続リブを切断することによって開口穴を形成できるようになっている。
【０００６】
上記従来の補助タンクは、遊技媒体の手動回収を行う島設備では、そのまま使用され、
遊技媒体の自動回収を行う島設備では、補助タンクの底壁に開口穴が形成されて使用され
る。
【０００７】
補助タンクの開口穴は、遊技機本体内に補助タンクがセットされた状態で、遊技機本体
の底面の回収穴に連通する。そして、ホッパから溢れて補助タンクに回収された遊技媒体
を開口穴を通過させて補助タンクから排出し、遊技機本体の回収穴を通過させて、自動回
収装置に供給することができるようになっている。
【０００８】
【特許文献１】特開２００５−３２３７５０号公報
【発明の開示】
【発明が解決しようとする課題】
【０００９】
しかしながら、特許文献１に記載された技術の場合、遊技機本体の底面には、自動回収
用の回収穴が予め開口形成されているので、例えば遊技機を島設備に設置する前や、中古機として移設するために島設備等から取り外された状態等、遊技機単体の状態においては、遊技機本体の回収穴が露出し、そこから補助タンクの開口穴や切り込み部を介して不正行為が行われるおそれがあり、好ましくない。
【００１０】
本発明は、上記例示した問題等に鑑みてなされたものであり、その目的は、好適に不正行為を抑制することができる遊技機を提供することにある。
【課題を解決するための手段】
【００１１】
上記課題を解決する請求項１に記載の発明による遊技機は、上部が開放された有底箱形状を呈し、底部に開口穴が形成されたタンク本体、及び該タンク本体の内方に移動自在に支持されて、前記開口穴を閉塞する閉塞位置と前記開口穴を開放する開放位置のいずれか一方に選択的に配置可能な閉塞部材を備え、ホッパから溢れたコインが前記開放された上部から流入する補助タンクと、前記補助タンクを遊技機本体内に装着した場合に、前記タンク本体の周壁に形成された穴部から前記タンク本体の内方に挿入されて前記補助タンク内のコインの貯留状態を検出するコイン貯留状態検出手段と、を有し、前記コイン貯留状態検出手段は、前記タンク本体内において互いに上下に離間して配される、底部側の下部側検出手段及び該下部側検出手段より上方にある上部側検出手段を有し、前記閉塞部材は、前記閉塞位置に配置された状態で前記補助タンクが遊技機本体内に装着された場合に、前記閉塞位置から前記開放位置に移動する途中において、前記タンク本体の底部側に位置する前記下部側検出手段に当接して移動が規制されることを特徴とする。
【発明の効果】
【００１２】
本発明によれば、種々の不正行為を未然に防ぐことができる。
【発明を実施するための最良の形態】
【００１３】
はじめに、本実施の形態から抽出され得る発明群を手段ｎ(ｎ＝０，１，２・・・)として区分して示し、それらを必要に応じて効果等を示しつつ説明する。
【００１４】
手段０．ホッパから溢れたコインが流入する補助タンクを有する遊技機において、前記補助タンクは、上部が開放され下部に開口穴が形成されたタンク本体と、該タンク本体の内方に回動自在に支持されて、前記開口穴を閉塞する閉塞位置と前記開口穴を開放する開放位置のいずれか一方に選択的に配置可能な閉塞部材と、を備え、前記閉塞部材は、前記閉塞位置に配置された状態で前記補助タンクが遊技機本体内に装着された場合に、前記閉塞位置から前記開放位置に移動する途中の、前記閉塞位置よりも前記開放位置側で前記タンク本体内に突出する突出部材に当接して移動が規制されることを特徴とする遊技機。
【００１５】
手段１．上部が開放され下部に開口穴が形成されたタンク本体の内方に蓋体が移動自在に支持され、前記開口穴を閉塞する閉塞位置と前記開口穴を開放する開放位置のいずれか一方に前記蓋体を選択的に配置可能な補助タンクを、前記蓋体が開放位置に配置された状態で遊技機本体内に装着し、ホッパから溢れたコインを前記補助タンクの上方から前記補助タンク内に流入させた場合に、前記開口穴及び前記開口穴に連通して前記遊技機本体の底板に開口するコイン回収穴にコインを通過させて前記遊技機本体の下方に排出する遊技機において、前記蓋体が前記閉塞位置に配置された状態で前記補助タンクが前記遊技機本体内に装着された場合に、前記蓋体の開放側に対向して配置され、前記蓋体との当接により前記蓋体の開放側への移動を規制する蓋体移動規制手段を備えることを特徴とする遊技機。
【００１６】
手段１によれば、蓋体５２を閉塞位置に配置した状態で補助タンク５０を遊技機本体４内に装着した場合に、蓋体移動規制手段１９Ｂ、１９Ｃが蓋体５２の開放側に対向して配置され、蓋体５２との当接により蓋体５２の開放側への移動が規制される。
【００１７】
従って、例えば遊技機１を設置する前や、中古機として移設するために島設備から取り
外された状態等、遊技機１単体の状態とされて遊技機本体４の底板２Ｂのコイン回収穴２
Ｆが露出する状況において、蓋体５２を閉塞位置に配置した状態で補助タンク５０を遊技
機本体４内に装着しておくことにより、コイン回収穴２Ｆから手や器具等が挿入されて蓋
体５２が閉塞位置から開放側に移動する方向に付勢された場合に、蓋体５２を蓋体回動規
制手段１９Ｂ、１９Ｃに当接させて、蓋体５２の開放側への移動を規制し、開口穴５３が
開放されるのを防ぐことができる。従って、遊技機本体４の底板２Ｂに開口するコイン回
収穴２Ｆから遊技機本体４内に針金や特殊工具等の異物が挿入されるのを防ぐことができ
、このような異物を使用した種々の不正行為を未然に防ぐことができる。
【００１８】
手段２．上部が開放され下部に開口穴が形成されたタンク本体の内方に蓋体が回動自在に支持され、前記開口穴を閉塞する閉塞位置と前記開口穴を開放する開放位置のいずれか一方に前記蓋体を選択的に配置可能な補助タンクを、前記蓋体が開放位置に配置された状態で遊技機本体内に装着し、ホッパから溢れたコインを前記補助タンクの上方から前記補助タンク内に流入させた場合に、前記開口穴及び前記開口穴に連通して前記遊技機本体の底板に開口するコイン回収穴にコインを通過させて前記遊技機本体の下方に排出する遊技機において、前記蓋体が前記閉塞位置に配置された状態で前記補助タンクが前記遊技機本体内に装着された場合に、前記蓋体の開放側に対向して配置され、前記蓋体との当接により前記蓋体の開放側への回動を規制する蓋体回動規制手段を備えることを特徴とする遊技機。
【００１９】
手段２によれば、蓋体５２を閉塞位置に配置した状態で補助タンク５０を遊技機本体４内に装着した場合に、蓋体回動規制手段１９Ｂ、１９Ｃが蓋体５２の開放側に対向して配置され、蓋体５２との当接により蓋体５２の開放側への回動が規制される。
【００２０】
従って、例えば遊技機１を設置する前や、中古機として移設するために島設備から取り
外された状態等、遊技機１単体の状態とされて遊技機本体４の底板２Ｂのコイン回収穴２
Ｆが露出する状況において、蓋体５２を閉塞位置に配置した状態で補助タンク５０を遊技
機本体４内に装着しておくことにより、コイン回収穴２Ｆから手や器具等が挿入されて蓋
体５２が閉塞位置から開放側に回動する方向に付勢された場合に、蓋体５２を蓋体回動規
制手段１９Ｂに当接させて、蓋体５２の開放側への回動を規制し、開口穴５３が開放され
るのを防ぐことができる。従って、遊技機本体４の底板２Ｂに開口するコイン回収穴２Ｆ
から遊技機本体４内に針金や特殊工具等の異物が挿入されるのを防ぐことができ、このよ
うな異物を使用した種々の不正行為を未然に防ぐことができる。
【００２１】
手段３．手段２に記載の遊技機において、前記補助タンクのタンク本体内には、前記蓋体回動規制手段に前記蓋体を当接させた状態で前記蓋体と前記タンク本体の内面との間に介在されるように庇部が設けられていることを特徴とする。
【００２２】
手段３によれば、蓋体５２を蓋体回動規制手段１９Ｂに当接させた状態で蓋体５２とタンク本体５１の内面との間に形成される開口隙間に、庇部６１を介在させることができる。従って、かかる開口隙間から遊技機本体４内に針金や特殊工具等の異物が挿入されるのを困難化でき、このような異物を使用した種々の不正行為を未然に防ぐことができる。
【００２３】
手段４．手段２又は３に記載の遊技機において、前記補助タンクのタンク本体内には、前記蓋体が前記閉塞位置から前記蓋体回動規制手段に当接するまでの前記蓋体の回動軌跡に沿って断面が略円弧状に湾曲する湾曲部が設けられていることを特徴とする。
【００２４】
蓋体５２を閉塞位置から開放側に向かって回動させた場合に、蓋体５２を湾曲部６２に対向させて、蓋体５２とタンク本体５１の内面との間に形成される開口隙間が漸次拡大されるのを防ぐことができる。従って、かかる開口隙間から遊技機本体４内に針金や特殊工具等の異物が挿入されるのを困難化でき、このような異物を使用した種々の不正行為を未然に防ぐことができる。尚、湾曲部６２の断面形状は、厳密な円弧に限定されるものではなく、開口隙間から遊技機本体４内に異物を挿入する行為を困難化できればよく、例えば複数の短い直線を円弧状に連続して配列させたものなど、略円弧状のものも含まれる。
【００２５】
手段５．手段２〜４の何れか１つに記載の遊技機において、前記蓋体回動規制手段は、前記補助タンクを前記遊技機本体内に装着した場合に前記タンク本体の内方に挿入されて前記補助タンク内のコインの貯留状態を検出するコイン貯留状態検出手段のセンサ棒によって構成されることを特徴とする。
【００２６】
従って、タンク本体５１内のコインの貯留状態を検出するコイン貯留状態検出手段のセ
ンサ棒１９Ｂ、１９Ｃを蓋体回動規制手段として兼用することができ、部品点数を増加さ
せることなく、省スペース化が可能な蓋体回動規制手段１９Ｂ、１９Ｃを構成することが
できる。
【００２７】
手段６．手段５に記載の遊技機において、前記遊技機本体は、前部が開放された箱状の筐体を有し、前記補助タンクは、前記筐体の前方から前記筐体の内方に装着され、該装着状態で前記筐体の背板と対向する前記タンク本体の後壁部にセンサ挿入穴が開口し、前記センサ棒は、前記筐体の背板に基端部が支持され、前記筐体の背板から前記筐体の前方に向かって延在し、前記補助タンクの装着により前記センサ挿入穴に挿入されて前記タンク本体の内方に先端部が配置される構成を有することを特徴とする。
【００２８】
手段６に記載の発明は、上述の手段に記載した発明の具体的な構成の一例を示したものであり、これによれば、蓋体５２を閉塞位置に配置して補助タンク５０を筐体２の内方に装着した場合に、センサ棒１９Ｂ、１９Ｃの先端部をタンク本体５１の内方で且つ蓋体５２の開放側に対向する位置に配置し、蓋体５２との当接により蓋体５２の開放側への回動を規制することができる。
【００２９】
手段７．手段６に記載の遊技機において、前記補助タンクは、前記蓋体を前記開放位置と前記閉塞位置との中間の予め設定された傾斜角度位置に配置して取り外し方向に移動させた場合に、前記蓋体の前記タンク本体への支持を解除して前記蓋体を前記タンク本体から取り外し可能な構成を有し、前記センサ棒は、前記蓋体を前記閉塞位置から開放側に回動させた場合に、前記蓋体を前記タンク本体から取外可能な前記蓋体の傾斜角度位置よりも、閉塞側の傾斜角度位置で前記蓋体と当接する構成を有することを特徴とする。
【００３０】
手段７に記載の発明によると、補助タンク５０を遊技機本体４に装着して、蓋体５２を閉塞位置から開放側に回動させた場合に、蓋体５２をタンク本体５１から取外可能な傾斜角度位置よりも、閉塞側の傾斜角度位置でセンサ棒１９Ｂ、１９Ｃに蓋体５２が当接する。
【００３１】
従って、補助タンク５０が遊技機本体４に装着された状態で蓋体５２が開放側に付勢された場合に、センサ棒１９Ｂ、１９Ｃに当接させて蓋体５２の開放側への回動を規制する
と共に、蓋体５２がタンク本体５１から取外可能な傾斜角度位置に配置されるのを防ぐことができる。
【００３２】
手段８．手段６又は７に記載の遊技機において、前記センサ棒は、前記先端部が前記基端部の高さ位置以上に位置するセンサ使用姿勢状態と、前記先端部が前記基端部よりも下方に位置する回動規制姿勢状態のいずれか一方に選択的に切り替え可能に支持されることを特徴とする。
【００３３】
手段８によれば、蓋体５２が閉塞位置に配置された補助タンク５０を筐体２の内方に装着してセンサ棒１９Ｃを回動規制姿勢状態とした場合に、センサ棒１９Ｃの先端部７３を基端部の高さ位置よりも下方に配置することができ、蓋体５２の上面２０１ａに対して、より接近させた位置に対向配置することができる。
【００３４】
従って、基端部７１が筐体２の背板２Ｃに支持される高さ位置を低くすることなく、蓋
体５２が開放側に回動される開き角度を小さくすることができ、蓋体５２とタンク本体５
１の内面との間に形成される開口隙間を狭くすることができる。従って、かかる開口隙間
から針金や特殊工具等の異物が挿入されるのを防ぐことができ、このような異物を使用し
た種々の不正行為を未然に防ぐことができる。
【００３５】
一方、センサ棒１９Ｃをセンサ使用姿勢状態とした場合には、センサ棒１９Ｃの先端部
７３を、タンク本体５１の内方でコインの貯留状態を検出するのに好適な高さ位置に配置
することができる。
【００３６】
手段９．手段８に記載の遊技機において、前記筐体の背板に設けられ、前記センサ使用姿勢状態で前記センサ棒の基端部を挿入することによって前記センサ棒を前記センサ使用姿勢状態に支持し、前記回動規制姿勢状態で前記センサ棒の基端部を挿入することによって前記センサ棒を前記回動規制姿勢状態に支持するソケットを有することを特徴とする。
【００３７】
手段９によると、センサ使用姿勢状態でセンサ棒１９Ｃの基端部７１をソケット７０に挿入することによって、センサ棒１９Ｃをセンサ使用姿勢状態に支持し、回動規制姿勢状態でセンサ棒１９Ｃの基端部７１をソケット７０に挿入することによって、センサ棒１９Ｃを回動規制姿勢状態に支持することができる。従って、センサ棒１９Ｃの姿勢状態をセンサ棒１９Ｃの使用状況に応じて簡単に切り替えることができ、蓋体５２の回動規制とその解除を簡単に行うことができる。
【００３８】
手段１０．手段１〜９の何れか１項に記載の遊技機において、前記遊技機本体は、前部が開放された箱状の筐体と、前記筐体の前部を開閉する前面扉と、前記補助タンクを前記筐体の内方に装着して前記前面扉を閉じた場合に、前記タンク本体に当接して前記遊技機本体内における前記補助タンクの前後左右及び上下の移動を規制する補助タンク移動規制手段とを有することを特徴とする遊技機。
【００３９】
手段１０によれば、補助タンク５０を筐体２の内方に装着して前面扉３を閉じた場合に、補助タンク移動規制手段がタンク本体５１に当接して遊技機本体４内における補助タンク５０の前後左右及び上下の移動が規制されるので、遊技機本体４の回収穴２Ｆから手や器具等を挿入して遊技機本体４内における補助タンク５０の位置が移動されるのを防ぎ、補助タンク５０と遊技機本体４との間に隙間が形成されるのを防ぐことができる。従って、隙間から針金や特殊工具等の異物が挿入されるのを防ぎ、このような異物を使用した種々の不正行為を未然に防ぐことができる。
【００４０】
手段１１．上部が開放された有底箱形状を呈し、底部に開口穴が形成されたタンク本体、及び該タンク本体の内方に移動自在に支持されて、前記開口穴を閉塞する閉塞位置と前記開口穴を開放する開放位置のいずれか一方に選択的に配置可能な閉塞部材を備え、ホッパから溢れたコインが前記開放された上部から流入する補助タンクと、前記補助タンクを遊技機本体内に装着した場合に、前記タンク本体の周壁に形成された穴部から前記タンク本体の内方に挿入されて前記補助タンク内のコインの貯留状態を検出するコイン貯留状態検出手段と、を有し、前記コイン貯留状態検出手段は、前記タンク本体内において互いに上下に離間して配される、底部側の下部側検出手段及び該下部側検出手段より上方にある上部側検出手段を有し、前記閉塞部材は、前記閉塞位置に配置された状態で前記補助タンクが遊技機本体内に装着された場合に、前記閉塞位置から前記開放位置に移動する途中において、前記タンク本体の底部側に位置する前記下部側検出手段に当接して移動が規制されることを特徴とする遊技機。
【００４１】
手段１２．上部が開放された有底箱形状を呈し、底部に開口穴が形成されたタンク本体、及び該タンク本体の内方に回動自在に支持されて、前記開口穴を閉塞する閉塞位置と前記開口穴を開放する開放位置のいずれか一方に選択的に配置可能な閉塞部材を備え、ホッパから溢れたコインが前記開放された上部から流入する補助タンクと、前記補助タンクを遊技機本体内に装着した場合に、前記タンク本体の周壁に形成された穴部から前記タンク本体の内方に挿入されて前記補助タンク内のコインの貯留状態を検出するコイン貯留状態検出手段と、を有し、前記コイン貯留状態検出手段は、前記タンク本体内において互いに上下に離間して配される、底部側の下部側検出手段及び該下部側検出手段より上方にある上部側検出手段を有し、前記閉塞部材は、前記閉塞位置に配置された状態で前記補助タンクが遊技機本体内に装着された場合に、前記閉塞位置から前記開放位置に回動する途中において、前記タンク本体の底部の開口穴側に位置する前記下部側検出手段に当接して移動が規制されることを特徴とする遊技機。
【００４２】
手段１３．手段１２の遊技機において、前記補助タンクのタンク本体内には、前記下部側検出手段に前記閉塞部材を当接させた状態で前記閉塞部材と前記タンク本体の内面との間に介在されるように庇部が設けられていることを特徴とする。
【００４３】
［第１実施の形態］
以下、本発明の第１実施の形態について、遊技機の一例としてスロットマシン１の場合
を例に図面に基づいて説明する。図１は、スロットマシン１の前面扉３が閉じた状態を示
す斜視図、図２は、スロットマシン１の前面扉３が開いた状態を示す斜視図、図３は、ス
ロットマシン１の筐体２を正面から示す図、図４は、図３のＩ−Ｉ線断面矢視図である。
【００４４】
スロットマシン１は、図１及び図２に示すように、筐体２と前面扉３とからなる正面視
略矩形状の本体（遊技機本体）４を有する。
【００４５】
前面扉３は、略平板状のフレーム２０に、スタートレバー２６やセレクタ９等の種々の
装置類が装着されて構成されている。フレーム２０は、フレーム２０の上端部から高さ方
向略中央部まで下方に移行するに従って手前側に突出するように傾斜した傾斜部２０Ａと
、傾斜部２０Ａの下端から手前側に突出してフレーム２０の左右に亘って所定の高さ幅で
延在する突出部２０Ｂと、突出部２０Ｂよりも奥側に後退した位置で突出部２０Ｂからフ
レーム２０の下端部まで垂下する垂下部２０Ｃを有する。
【００４６】
フレーム２０は、左端部の上下複数カ所がヒンジ５（図２を参照）によって筐体２に連
結されて取り付けられ、筐体２の前部を容易に開放及び閉塞できるようになっている。そ
して、フレーム２０の右端部には、筐体２に対して前面扉３を閉塞して施錠状態とする施
錠装置６と、その施錠装置６による施錠状態を解除して前面扉３を開放するためのキーシ
リンダ７が設けられている。
【００４７】
前面扉３の前面には、フレーム２０に取り付けられた装置類によって、上方から下方に
向かって順番に並ぶように、演出部３Ａ、表示部３Ｂ、操作部３Ｃ、装飾部３Ｄ、払出部
３Ｅが形成されている。
【００４８】
演出部３Ａは、遊技者に対して光や音、映像を用いて演出を行う演出装置２１を有する
。演出装置２１は、フレーム２０の傾斜部２０Ａに取り付けられており、遊技の進行に伴
って転倒・点滅する上部ランプ２１ａと、上部ランプ２１ａの下方位置で左右両側に各々
配置されて種々の効果音等を発生させる一対のスピーカ２１ｂ−１、２１ｂ−２と、これ
ら一対のスピーカ２１ｂ−１、２１ｂ−２の間に配設されて、画像・映像等の種々の情報
を表示する液晶ディスプレイ２１ｃを有する。
【００４９】
表示部３Ｂは、遊技者に遊技状態を示す表示用パネル２２を有する。表示用パネル２２
は、フレーム２０の傾斜部２０Ａに開口する矩形の開口部に嵌合されて取り付けられてい
る。表示用パネル２２の略中央位置には、透明又は半透明な材質によって表示窓２２ａが
一体成形されており、その表示窓２２ａから筐体２の内方の回転リール１１ａ〜１１ｃを
視認できるようになっている。
【００５０】
操作部３Ｃは、表示用パネル２２の下端から手前側に向かって平面状に突出する突出部
２０Ｂの上面部２０Ｂａに、ベットボタン２３とコイン投入口２４とが左右に離れて設け
られている。そして、上面部２０Ｂａの手前側の端部で折曲されて垂下する突出部２０Ｂ
の前面部２０Ｂｂに、精算ボタン２５、回転リール１１ａ〜１１ｃの回転開始を指示する
ためのスタートレバー２６、回転リール１１ａ〜１１ｃの回転停止を支持するためのスト
ップボタン２７等の各操作手段が横一列に並ぶように配設されている。突出部２０Ｂの前
面部２０Ｂｂには各操作手段の周りをカバーするカバー部材２８が取り付けられている。
カバー部材２８は、フレーム２０の突出部２０Ｂの前方で左右に亘って延在する帯板形状
を有している。
【００５１】
装飾部３Ｄは、機種名や遊技に関わるキャラクタ等を表示する装飾用パネル４０を有す
る。装飾用パネル４０は、装飾用パネル４０の裏面側に設けられた照明装置の光源Ｐから
照射される光によって照明されて、装飾が際立つようになっている。照明装置は、光源Ｐ
として冷陰極管を備えており、図４に示すように、装飾用パネル４０の表示部４２とフレ
ーム２０の垂下部２０Ｃとの間で前面扉３の左右に延在し、両端がフレーム２０に支持さ
れている。光源Ｐは、電源の供給を受けて放射状に光を照射する。
【００５２】
装飾用パネル４０は、保護カバー４１と減光手段４４を備えている。保護カバー４１は
、フレーム２０の垂下部２０Ｃの前方で上下に延在する表示部４２と、表示部４２の下端
で折曲されて後方に向かって延在し、コイン受け皿３３に対向する対向部４３とが一体に
形成され、透明又は半透明のプラスチックやアクリル等、硬質の合成樹脂製材料等の光透
過性部材によって構成されている。
【００５３】
減光手段４４は、保護カバー４１の対向部４３の少なくとも一部を覆い、光源Ｐからコ
イン受け皿３３に向かって照射される光を減光する構成を有しており、対向部４３の上面
に取り付けられて光源Ｐからコイン受け皿３３に向かって照射される光を遮光する遮光プ
レート４５と、遮光プレート４５に開口して光源Ｐからコイン受け皿３３に向かって照射
される光を通過させる開口部４６と、開口部４６に脱着自在に取り付けられて開口部４６
を通過する光を透過させて光量や色等を変更する透過光調整部４７によって構成されてい
る。
【００５４】
開口部４６は、図４に示すように、光源Ｐから照射された光が通過してコイン受け皿３
３を照明する位置に設けられている。開口部４６の大きさは、光源Ｐからコイン受け皿３
３内を照明するのに必要で且つ遊技者が眩しくない程度の光量の光を透過させることがで
きる大きさに設定されている。
【００５５】
従って、光源Ｐから照射された光を減光手段４４で減光して、コイン受け皿３３に照射
される光の光量を調整することができ、適切な光量の光でコイン受け皿３３を照明でき、
遊技者にとって眩しすぎず、且つ、コイン受け皿３３上のコインの存否確認を容易ならし
め、コイン受け皿３３上のコインの取り忘れを防ぐことができる。
【００５６】
特に、コイン受け皿３３の底板部３３Ａの強度を補強するために底板部３３Ａの底面に
金属製の板部材が敷設されて、上方からの光を反射し易い構造となっている場合には、減
光手段４４によって適切な光量に減光することにより、遊技者が眩しく感じるのを有効に
防ぐことができる。
【００５７】
そして、保護カバー４１の表示部４２と対向部４３が一体に形成されているので、光を
透過させるための開口部等を保護カバー４１に開ける必要がない。従って、針金等の棒状
の異物が保護カバー４１を貫通して挿入されるおそれがなく、スロットマシン１の設定状
態を不正に変更する等の不正行為を有効に防ぐことができる。
【００５８】
払出部３Ｅは、コイン払出口３１や演出用スピーカ３２Ｌ、３２Ｒ、コイン受け皿３３
等を有する。コイン払出口３１は、図１に示すように、フレーム２０の左右方向略中央位
置に開口形成されており、排出用通路８（図２を参照）の下流端が連通して接続されてい
る。演出用スピーカ３２Ｌ、３２Ｒは、コイン払出口３１の左右方向両側に位置するよう
に前面扉３のフレーム２０に取り付けられている。
【００５９】
コイン受け皿３３は、コイン受け皿取付板３０を介してフレーム２０に取り付けられて
いる。コイン受け皿取付板３０は、一枚の平板状の金属板によって構成されており、フレ
ーム２０の垂下部２０Ｃに重ね合わせるように取り付けられて、前面扉３の左右に亘って
延在し、左右の演出用スピーカ３２Ｌ、３２Ｒの前面を覆っている。
【００６０】
コイン受け皿取付板３０の略中央には、フレーム２０のコイン払出口３１の位置に対応
してコイン出口３０ａが開口形成されており、コイン払出口３１からコイン受け皿３３に
コインが排出されるようになっている。また、コイン受け皿取付板３０の左右両側には、
演出用スピーカ３２Ｌ、３２Ｒの位置に対応して複数の小孔３０ｂがメッシュ状に形成さ
れて、演出用スピーカ３２Ｌ、３２Ｒからの音声等が前面扉３の前方である手前側に向か
って発せられるようになっている。
【００６１】
コイン受け皿３３は、フレーム２０の垂下部２０Ｃから手前側に突出して前面扉３の左
右に延在するように取り付けられている。コイン受け皿３３は、コイン払出口３１よりも
下方位置で底面が左右に広がる底板部３３Ａと、底板部３３Ａの外端縁に沿って設けられ
て底面から上方に延出する縦壁部３３Ｂを有し、コイン受け皿取付板３０に取り付けられ
た場合に、縦壁部３３Ｂとコイン受け皿取付板３０との間に囲まれて上方が開放された所
定枚数のコインを貯留可能な貯留空間を形成する構成を有する。
【００６２】
縦壁部３３Ｂは、コイン受け皿取付板３０から手前側に向かって延出するように基端が
コイン受け皿取付板３０に固定される左右一対の側面壁部３３Ｂａ、３３Ｂｂと、コイン
受け皿取付板３０に沿って左右に延在するように一対の側面壁部３３Ｂａ、３３Ｂｂの先
端間を連結してコイン払出口３１に対向配置される正面壁部３３Ｂｃを有する。
【００６３】
左側面壁部３３Ｂａは、前面扉３の左端部よりも内方に位置し、前面扉３の左端部と左
側面壁部３３Ｂａとの間には灰皿３３Ｃが配設されている。右側面壁部３３Ｂｂは、前面
扉３の右端部に沿って位置し、コイン受け皿取付板３０から手前側に向かって移行するに
したがって右側面壁部３３Ｂｂの上端が漸次下方に移行し、正面壁部３３Ｂｃの上端に滑
らかに連続している。
【００６４】
筐体２は、スロットマシン１の骨格をなす部材であり、天板２Ａ、底板２Ｂ、背板２Ｃ
、左側板２Ｄ、右側板２Ｅからなり、図２に示すように、前部が開放された箱形状を有し
ている。
【００６５】
筐体２の内方の略中央高さ位置には、リールユニット１１が配設されている。リールユ
ニット１１は、複数個の回転リール１１ａ〜１１ｃを有している。各回転リール１１ａ〜
１１ｃは、その回転中心軸線が筐体２の横幅方向に同一軸線上に延びるように配置されて
おり、表示窓２２ａから回転リール１１ａ〜１１ｃの表面を視認できるようになっている
。
【００６６】
回転リール１１ａ〜１１ｃの表面には、周回方向に所定間隔をおいて複数種類の図柄が
表示されており、表示窓２２ａから上下に３つの図柄が視認できるように配置されている
。そして、リール１１ａ〜１１ｃの正転により、各表示窓２２ａには各種図柄が上から下
に移動しているように映し出される。
【００６７】
各リール１１ａ〜１１ｃは、個々にステッピングモータ（図示せず）に連結されており
、各ステッピングモータにより別個独立して回転駆動され、リール表面の図柄が表示窓２
２ａから視認可能な位置に停止される。
【００６８】
筐体２の内方の上部位置には、主基板ユニット１２が配設されている。主基板ユニット
１２は、スロットマシン１の遊技動作を制御するメイン制御基板が制御基板収納ボックス
内に収容された状態で、台座装置によって筐体２の背板２ｃに取付支持されている。
【００６９】
筐体２の内方の下部位置には、電源ボックス１３とコイン払出手段１４と補助タンク５
０が左右に並んで配置されている。電源ボックス１３は、筐体２の左側板２Ｄに沿って設
けられており、開閉扉１３ａを開くことで露出される正面部には、電源スイッチ、リセッ
トスイッチ、設定キー挿入孔（いずれも図示せず）が設けられている。電源スイッチは、
主制御装置等を始めとする各部に電源を供給するための起動スイッチである。
【００７０】
リセットスイッチは、スロットマシンの各種状態をリセットするためのスイッチである
。本スロットマシン１は、各種データのバックアップ機能を有しており、万一停電が発生
した際でも停電時の状態を保持し、停電からの復旧（復電）の際には停電時の状態に復帰
できるようになっている。したがって、例えば遊技ホールの営業が終了する場合のように
通常手順で電源を遮断すると遮断前の状態が記憶保持されるが、リセットスイッチを押し
ながら電源スイッチをオンすると、バックアップデータがリセットされるようになってい
る。また、電源スイッチがオンされている状態でリセットスイッチを押した場合には、エ
ラー状態がリセットされる。
【００７１】
設定キー挿入孔は、ホール管理者などがコインの出玉調整を行うためのものである。す
なわち、ホール管理者等が設定キーを設定キー挿入孔へ挿入して操作することにより、ス
ロットマシン１の設定状態（当選確率設定処理）を「設定１」から「設定６」まで変更で
きるようになっている。
【００７２】
コイン払出手段１４は、図示していないスライド機構を介して筐体２の底板２Ｂの上面
に取り付けられており、前面扉３を開放した状態で筐体２の内方から前方に向かって引き
出すことができるようになっている。
【００７３】
コイン払出手段１４は、コインを貯留するホッパ１５と、ホッパ１５内のコインをコイ
ン受け皿３３に払い出す払出装置１６と、ホッパ１５から溢れたコインをホッパ１５の外
に排出するコイン排出口１８等を備えている。そして、底板２Ｂの上面に払出装置１６が
スライド移動可能に支持され、払出装置１６の上部にホッパ１５が取り付けられ、ホッパ
１５にコイン排出口１８が形成されている。
【００７４】
払出装置１６は、モータ等の駆動手段により回転体を回転させて（いずれも図示せず）
、ホッパ１５内のコインを払出口１６ａから払い出して排出用通路８に流入させる構成を
有する。ホッパ１５は、筐体２の上下方向に延在する平面視略矩形の胴部１５Ａと、胴部
１５Ａの下端部を閉塞する底部１５Ｂとからなる有底筒状をなす。胴部１５Ａは、左壁部
１５Ａｃと右壁部１５Ａｄとが筐体２の左側板２Ｄ、右側板２Ｅと平行に延在し、後壁部
１５Ａｂが筐体２の背板２Ｃに沿って延在し、前壁部１５Ａａが筐体２の前部で左右に延
在するように配置される。
【００７５】
そして、胴部１５Ａの上端部は、上方に向かって開放されており、ホッパ１５内にコイ
ンが投入される投入口１７が形成されている。底部１５Ｂは、互いに対向して下方に移行
するにしたがって漸次接近するように傾斜した左右一対の傾斜部１５Ｂａ、１５Ｂｂを有
している。これら左右一対の傾斜部１５Ｂａ、１５Ｂｂのうち、図３で左側に示される傾
斜部１５Ｂａには、払出装置１６にコインを供給する供給口が形成されている。
【００７６】
そして、図３で右側に示される傾斜部１５Ｂｂは、払出装置１６よりも筐体２の右側板
２Ｅ側に突出し、底板２Ｂの上面と対向している。コイン排出口１８は、補助タンク５０
の上方に位置し、ホッパ１５から溢れてコイン排出口１８から排出されたコインを補助タ
ンク５０内に流入させることができるように、胴部１５Ａの右壁部１５Ａｄに形成されて
いる。
【００７７】
補助タンク５０は、筐体２の内方に装着され、前面扉３を開放した状態で筐体２の内方
から前方に向かって引き出すことができるように、筐体２の底板２Ｂの上面に載せた状態
で収容される。筐体２の底板２Ｂには、補助タンク５０に収容したコインを筐体２の下方
に位置する自動回収装置に供給するためのコイン回収穴２Ｆが開口形成されている。
【００７８】
補助タンク５０は、コイン排出口１８から排出されたコインを貯留する手動回収と、コ
インを通過させて自動回収装置（図示せず）によって回収させる自動回収の両方に対応可
能な構造を有する。
【００７９】
補助タンク５０は、タンク本体５１と、蓋体５２によって構成されている。タンク本体
５１は、上部が開放された有底の箱形状を有しており、タンク本体５１の底壁部１０１に
は、開口穴５３が形成されている。開口穴５３は、補助タンク５０が筐体２の内方に装着
された状態で、筐体２の底板２Ｂに開口するコイン回収穴２Ｆと連通する位置に形成され
ている。
【００８０】
蓋体５２は、タンク本体５１の内方でタンク本体５１に回動自在に支持されて、開口穴
５３を閉塞する閉塞位置と、開口穴５３を開放する開放位置のいずれか一方に選択的に配
置可能な構成を有する。
【００８１】
補助タンク５０は、蓋体５２を閉塞位置に配置して開口穴５３を閉塞した状態で筐体２
の内方に装着することにより、ホッパ１５から溢れて補助タンク５０内に流入したコイン
を貯留することができ、また、蓋体５２を開放位置に配置して開口穴５３を開放した状態
で筐体２の内方に装着することにより、ホッパ１５から溢れたコインを、補助タンク５０
の開口穴５３及び開口穴５３に連通して筐体２の底板２Ｂに開口するコイン回収穴２Ｆを
通過させて、筐体２の下方に位置する自動回収装置に供給し、自動回収装置によって回収
させることができるようになっている。
【００８２】
また、補助タンク５０は、蓋体５２を開放位置と閉塞位置との中間の予め設定された傾
斜角度位置に配置して取り外し方向に移動させた場合に、蓋体５２のタンク本体５１への
支持を解除して蓋体５２をタンク本体５１から取り外し可能な構成を有する。
【００８３】
筐体２の内方には、コイン貯留状態検出手段のセンサ棒１９Ａ、１９Ｂが取り付けられ
ている。センサ棒１９Ａ、１９Ｂは、図４に示すように、互いに上下に離間して対をなし
、それぞれ筐体２の背板２Ｃに基端が固定されており、前方に向かって平行に延在してい
る。
【００８４】
各センサ棒１９Ａ、１９Ｂは、導電性を有する金属材料からなり、補助タンク５０を筐
体２の内方に装着することによってタンク本体５１内に挿入され、タンク本体５１の内方
の前後方向略中央位置まで延出する長さを有する。
【００８５】
そして、導電性のコインが補助タンク５０に貯留されて一対のセンサ棒１９Ａ、１９Ｂ
の間に介在されると、互いに導通し、図示していないコイン貯留状態検出手段によって補
助タンク５０内のコインが満杯であるとの判断されるようになっている。
【００８６】
次に、補助タンク５０の構成について詳細に説明する。図５は、補助タンク５０の開口
部５３が蓋体５２によって閉塞された状態を示す補助タンク５０の斜視図、図６は、補助
タンク５０の開口部５３が開放された状態を示す補助タンク５０の斜視図、図７は、補助
タンク５０の平面図、図８は、図７のＩＩ−ＩＩ線断面矢視図、図９は、蓋体５２を示す
斜視図、図１０は、蓋体５２の側面図、図１１は、蓋体５２をタンク本体５１に取り付け
る取付方法を説明する図、図１２は、蓋体５２の支持状態を説明する図、図１３は、図５
のＩＩＩ−ＩＩＩ線断面矢視図、図１４は、図７のＩＶ−ＩＶ線断面矢視図、図１５は、
図６のＶ−Ｖ線断面矢視図である。
【００８７】
補助タンク５０のタンク本体５１は、図５〜図８に示すように、平面視略矩形状の底壁
部１０１と、底壁部１０１の周りを囲うように底壁部１０１から起立する前壁部１０２、
後壁部１０３、左側壁部１０４、右側壁部１０５を有する。
【００８８】
前壁部１０２と後壁部１０３は、底壁部１０１の前後でそれぞれ上方に向かって折曲さ
れて互いに対向し、左側壁部１０４と右側壁部１０５は、底壁部１０１の両側端部でそれ
ぞれ上方に向かって折曲されて対向する。
【００８９】
そして、タンク本体５１の上部には、上方に向かって開口する矩形の開口部５４が形成
されている。開口部５４は、前壁部１０２の上端部でタンク本体５１の左右方向に延在す
る前端縁部１０２ａ、右側壁部１０５の上端部でタンク本体５１の前後方向に延在する右
端縁部１０５ａ、後壁部１０３の上端部でタンク本体５１の左右方向に延在する後端縁部
１０３ａ、左側壁部１０４の上端部でタンク本体５１の前後方向に延在する左端縁部１０
４ａを有しており、平面視略矩形の開口形状を有する。
【００９０】
そして、筐体２の内方で、開口部５４の前端縁部１０２ａが筐体２の前部開口部分に沿
って筐体２の左右方向に延在し、右端縁部１０５ａが右側板２Ｅに沿って筐体２の前後方
向に延在し、後端縁部１０３ａが背板２Ｃに沿って筐体２の左右方向に延在し、左端縁部
１０４ａがコイン払出手段１４に沿って筐体２の前後方向に延在する。
【００９１】
タンク本体５１は、図３及び図４に示すように、筐体２の内方に装着した場合に、コイ
ン払出手段１４と筐体２の右側板２Ｅとの間に形成されたスペースに収容されてコイン払
出手段１４のコイン排出口１８の下方に配置される。
【００９２】
そして、タンク本体５１の左側壁部１０４がホッパ１５に対向してタンク本体５１の上
側及び左側への移動が規制され、同時に、タンク本体５１の右側壁部１０５が筐体２の右
側板２Ｅに対向してタンク本体５１の左右への移動が規制され、更に、タンク本体５１の
後壁部１０３が筐体２の背板２Ｃに対向してタンク本体５１の後方への移動が規制される
。そして、前面扉３を閉じた場合に、タンク本体５１の前壁部１０２が前面扉３のスピー
カ３２Ｒに対向して、タンク本体５１の前方への移動が規制される。
【００９３】
従って、タンク本体５１に当接してスロットマシン１の本体４内における補助タンク５
０の前後左右及び上下の移動を規制する補助タンク移動規制手段が構成され、本体４内に
おける補助タンク５０の位置が変更されるのを防止できる。
【００９４】
タンク本体５１の底壁部１０１は、図５〜図８に示すように、前壁部１０２の下端から
後方に移行するに従って漸次下方に移行する傾斜面部１１１と、傾斜面部１１１の後側で
水平に延在して筐体２の底板２Ｂの上面に接面する水平面部１２１を有している。
【００９５】
傾斜面部１１１の上面には、複数の凸条部１１２が設けられている。凸条部１１２は、
傾斜面部１１１の強度を補強するものであり、上方から落下してきたコインが衝突した場
合に、傾斜面部１１１の上面に傷が付いたり傾斜面部１１１が破損するのを防止している
。各凸条部１１２は、左右に所定間隔をおいて前後に延在するように配設されている。
【００９６】
傾斜面部１１１の下面には、前壁部１０２の下端と水平面部１２１の前端との間を緩や
かな円弧曲線で結ぶ凸状に形成された複数枚のリブ１１３が突設されており、補助タンク
５０を筐体２の内方から前方に引き出す際に、引っ掛かることなく円滑に引き出すことが
できる。
【００９７】
タンク本体５１の開口穴５３は、水平面部１２１の中央に形成されており、コイン回収
穴２Ｆの形状に沿うように平面視略矩形状をなし、開口穴５３の周りに水平面部１２１の
上面１２１ａが所定幅で連続する大きさを有する。水平面部１２１は、蓋体５２を水平面
部１２１の上面１２１ａに重ねて閉塞位置に配置した場合に、蓋体５２の下面２０１ｂと
水平面部１２１の上面１２１ａとが開口穴５３の周りに周状に連続して対向して接面する
形状を有する。
【００９８】
水平面部１２１の左側端部には、蓋体５２を回動自在に支持する支持手段５６が設けら
れている。支持手段５６は、蓋体５２を閉塞位置と開放位置との中間の予め設定された傾
斜角度位置に配置してタンク本体５１に対して上方に移動させた場合に、支持を解除して
蓋体５２を取り外すことが可能な構成を有する。
【００９９】
支持手段５６は、水平面部１２１の前部に形成されて蓋体５２の前側支持軸（第１支持
軸）２１２を回転自在に支持する前側支持部（第１支持部）１３１と、水平面部１２１の
後部に形成されて蓋体５２の後側支持軸（第２支持軸）２１３を回転自在に支持する後側
支持部（第２支持部）１３４と、水平面部１２１の前後方向中間位置に形成されて蓋体５
２の中間支持軸２１４を回転自在に支持する中間支持部１３７とを有する。
【０１００】
前側支持部１３１は、水平面部１２１から上方に向かって突出する突起部１３２と、突
起部１３２の後面に開口してタンク本体５１の前方に向かって延在する孔部１３３によっ
て構成される。孔部１３３は、蓋体５２の前側支持軸２１３を挿入可能な内径を有し、挿
入された前側支持軸２１２が回転自在に支持される。
【０１０１】
後側支持部１３４は、後側支持軸２１３を回転自在に支持する構成を有する。そして、
後側支持部１３４には、上方に向かって開口し、蓋体５２を所定の傾斜角度位置に配置し
て上方に移動させた場合に後側支持軸２１３を通過させて後側支持部１３４からの取り外
しを可能とするスリット部１３４ａが形成されている。
【０１０２】
後側支持部１３４は、図１１及び図１２に示すように、左側壁部１０４との間に所定の
間隙を開けて水平面部１２１から上方に起立するリブ１３５と、リブ１３５の上端に対向
して左側壁部１０４から突出する爪部１３６を有する。
【０１０３】
リブ１３５は、図１２に示すように、水平面部１２１からほぼ垂直に突出する腕部１３
５ａと、腕部１３５ａの上端から左側壁部１０４の爪部１３６側に向かって突出する爪部
１３５ｂを有する。腕部１３５ａは、左側壁部１０４との間に後側支持軸２１３の外径よ
りも若干広い間隔を有して対向し、後側支持軸２１３の外径よりも高い高さ位置まで突出
している。爪部１３５ｂは、爪部１３５ｂと爪部１３６との間隔が、後側支持軸２１３の
外径よりも狭く且つ後側支持軸２１３の一対の平坦面２１３ａ、２１３ｂの間隔とほぼ同
一若しくは若干広い間隔となるように形成されている。スリット部１３４ａは、爪部１３
５ｂと爪部１３６との間に形成されている。
【０１０４】
中間支持部１３７は、中間支持軸２１４を回転自在に支持する構成を有する。中間支持
部１３７には、上方に向かって開口し、蓋体５２を所定の傾斜角度位置に配置して上方に
移動させた場合に中間支持軸２１４を通過させて中間支持部１３７からの取り外しを可能
とするスリット部１３７ａが形成されている。
【０１０５】
中間支持部１３７は、後側支持部１３４と同一形状のリブ１３８と爪部１３９を有する
。リブ１３８は、水平面部１２１からほぼ垂直に突出する腕部１３８ａと、腕部１３８ａ
の上端から左側壁部１０４の爪部１３９側に向かって突出する爪部１３８ｂを有する。腕
部１３８ａは、蓋体５２の中間支持軸２１４の外径よりも広い間隔で左側壁部１０４と対
向し、中間支持軸２１４の外径よりも高い高さ位置まで突出している。爪部１３８ｂは、
爪部１３８ｂと爪部１３９との間隔が、中間支持軸２１４の外径よりも狭く且つ中間支持
軸２１４の一対の平坦面２１４ａ、２１４ｂの間隔とほぼ同一若しくは若干広い間隔とな
るように形成されている。スリット部１３７ａは、爪部１３８ｂと爪部１３９との間に形
成されている。
【０１０６】
水平面部１２１の右側端部には、蓋体５２を水平面部１２１の上に重ねて開口穴５３を
閉塞する位置である閉塞位置に配置した場合に、蓋体５２の前側凸部２０５が挿入されて
係止される前側閉塞係止穴１２３と、蓋体５２の後側凸部２０６が挿入されて係止される
後側閉塞係止穴１２５が設けられている。
【０１０７】
前側閉塞係止穴１２３は、閉塞位置に配置された蓋体５２の前端面２０１ｃと対向する
前側対向面１２２に凹設されている。前側対向面１２２は、水平面部１２１の前部で左右
に延在して前方から後方に向かって段状に下がる形状を有する。
【０１０８】
後側閉塞係止穴１２５は、閉塞位置に配置された蓋体５２の後端面２０１ｄと対向する
後側対向面１２４に凹設されている。後側対向面１２４は、水平面部１２１の後部で左右
に延在して前方から後方に向かって段状に上がる形状を有する。
【０１０９】
タンク本体５１の左側壁部１０４には、蓋体５２を左側壁部１０４に沿って起立させて
開口穴５３を開放する位置である開放位置に配置した場合に、蓋体５２の前側凸部２０５
が挿入されて係止される前側開放係止穴１４２と、蓋体５２の後側凸部２０６が挿入され
て係止される後側開放係止穴１４４が設けられている。
【０１１０】
前側開放係止穴１４２は、開放位置に配置された蓋体５２の前端面２０１ｃと対向する
前側対向面１４１に凹設されている。前側対向面１４１は、左側壁部１０４の前部で上下
に延在し、タンク本体５１の横幅方向外側から横幅方向中央に向かって段状に突出する形
状を有する。
【０１１１】
後側開放係止穴１４４は、開放位置に配置された蓋体５２の後端面２０１ｄと対向する
後側対向面１４３に凹設されている。後側対向面１４３は、左側壁部１０４の後部で上下
に延在し、タンク本体５１の横幅方向外側から横幅方向中央に向かって段状に突出する形
状を有する。
【０１１２】
タンク本体５１の左側壁部１０４及び右側壁部１０５は、タンク本体５１の前後方向中
間部分の方が前端部分及び後端部分よりも横幅方向外側に若干膨らむように、湾曲して形
成されている。これにより、コインの重さに対するタンク本体５１の強度を向上させると
共に、横幅方向内側へのソリが防止されている。
【０１１３】
タンク本体５１の前壁部１０２は、開口部５４の前端縁部１０２ａを上端とし、開口部
５４の前端縁部１０２ａから下方に延出する上前壁部１５１と、その上前壁部１５１の下
端で折曲されて引き出し方向後側に水平に延在する中前壁部１５２と、中前壁部１５２の
後端から下方に延出して底壁部１０１の前端に連結される下前壁部１５３を備える。
【０１１４】
そして、前壁部１０２には、引掛部５５が一体に形成されている。引掛部５５は、上前
壁部１５１の下端から下方に突出し、下前壁部１５３の前方に対向して、下前壁部１５３
との間に指先を下方から挿入可能な間隙を形成する垂下片１５４と、垂下片１５４の両側
端部で後方に向かって折曲されて下前壁部１５３の左右の側端部に接続される側壁１５５
を有する。
【０１１５】
垂下片１５４の長さは、下方から挿入した指先が第１関節くらいまで入り込む深さとな
るように設定されている。側壁１５５は、垂下片１５４の両側端部と下前壁部１５３の両
側端部との間をそれぞれ連結して、引掛部５５のタンク本体５１への取り付け剛性を向上
させている。
【０１１６】
引掛部５５は、垂下片１５４と下前壁部１５３との間に下方から指先を挿入してタンク
本体５１を筐体２の前方に引き出すことができる。そして、筐体２の内方から取り出した
際に、指先が垂下片１５４と下前壁部１５３との間に挿入されているので、補助タンク５
０を安定して持つことができる。従って、補助タンク５０を筐体２の内方から前方に引き
出して持ち上げるという一連の作業を連続して円滑に行うことができる。
【０１１７】
また、前壁部１０２の中前壁部１５２と下前壁部１５３が、開口部５４の前端縁部１０
２ａよりも引き出し方向後側に後退して開口部５４の内方に位置するように設けられてい
るので、開口部５４の前端縁部１０２ａをタンク本体５１の前側位置に配置することがで
きる。
【０１１８】
従って、引掛部５５を設けていながらも、開口部５４の前端縁部１０２ａを引き出し方
向前側に配置でき、筐体２の内方の限られた空間内で開口部５４の開口面積をより広く確
保することができる。
【０１１９】
従って、例えばホール従業員等によってホッパ１５から補助タンク５０にコインを掻き
出す作業が行われた場合に、コイン排出口１８から排出されたコインを、筐体２から外部
に飛び出させることなく、開口部５４から補助タンク５０のタンク本体５１内にスムーズ
に回収することができ、ホッパ１５から補助タンク５０へのコインの移動作業を迅速かつ
容易に行わせることができる。
【０１２０】
タンク本体５１の後壁部１０３には、センサ挿入部５７が形成されている。センサ挿入
部５７は、補助タンク５０を手動回収用として使用する場合に、筐体２に設けられた補助
タンク５０内のコインの貯留状態を検出するコイン貯留状態検出手段のセンサ棒１９Ａ、
１９Ｂが挿入される。
【０１２１】
センサ挿入部５７は、後壁部１０３の左右方向略中央位置に設けられており、後壁部１
０３の上部位置に形成された第１センサ挿入穴１６１と、後壁部１０３の下部位置に形成
された第２センサ挿入穴１６２を有する。
【０１２２】
第２センサ挿入穴１６２は、第２センサ挿入穴１６２に挿入されたセンサ棒１９Ｂがタ
ンク本体５１の内方で蓋体５２の回動軌跡の途中位置に介在されて、蓋体５２を閉塞位置
から開放側へ移動させた場合に蓋体５２をセンサ棒１９Ｂに当接させて蓋体５２の開放側
への回動を規制する位置に開口形成されている。
【０１２３】
このように、センサ棒１９Ａ、１９Ｂが高さ位置を変えて上下に配置されているので、
上側のセンサ棒１９Ａの高さ位置がコイン満杯時の検出位置とし、センサ棒１９Ｂが蓋体
５２の開放側への回動を規制するのに用いることができ、センサ棒１９Ａ、１９Ｂを有効
に利用することができる。
【０１２４】
蓋体５２は、例えば図９及び図１０に示すように、平板部２０１と軸部２１１を有する
。平板部２０１は、閉塞位置に配置された場合に、平板部２０１の下面２０１ｂと水平面
部１２１の上面１２１ａとが開口穴５３の周りに周状に連続して対向して接面し、タンク
本体５１の開口穴５３を閉塞する平板形状を有する。
【０１２５】
平板部２０１の基端側には、前側支持部１３１の突起部１３２との干渉を避けるための
前側切欠部２０２が軸部２１１の前側支持軸２１２に沿って切欠形成され、また、後側支
持部１３４のリブ１３５との干渉を避けるための後側切欠部２０３が軸部２１１の後側支
持軸２１３に沿って切欠形成されている。そして、中間支持部１３７のリブ１３８との干
渉を避けるための開口部２０４が軸部２１１の中間支持軸２１４に沿って開口形成されて
いる。
【０１２６】
平板部２０１の先端側には、前側凸部２０５と後側凸部２０６が設けられている。前側
凸部２０５は、平板部２０１の前端面２０１ｃから蓋体５２の回動中心軸線が延在する方
向と同方向である平板部２０１の長手方向に沿って突出し、蓋体５２を閉塞位置に配置し
た場合に、前側閉塞係止穴１２３に挿入されて、蓋体５２が閉塞位置から開放位置側に向
かって回動しないように係止される。そして、蓋体５２を開放位置に配置した場合に、前
側開放係止穴１４２に挿入されて、蓋体５２が開放位置から閉塞位置側に向かって回動し
ないように係止される。
【０１２７】
後側凸部２０６は、平板部２０１の後端面２０１ｄから蓋体５２の回動中心軸線が延在
する方向と同方向である平板部２０１の長手方向に沿って突出し、蓋体５２を閉塞位置に
配置した場合に、後側閉塞係止穴１２５に挿入されて（例えば図１４を参照）、蓋体５２
が閉塞位置から開放位置側に向かって回動しないように係止される。そして、蓋体５２を
開放位置に配置した場合に、後側開放係止穴１４４に挿入されて（例えば図１５を参照）
、蓋体５２が開放位置から閉塞位置側に向かって回動しないように係止される。
【０１２８】
これらの前側凸部２０５と後側凸部２０６、及び、前側閉塞係止穴１２３と後側閉塞係
止穴１２５によって、蓋体５２を閉塞位置に保持する閉塞位置保持手段が構成され、前側
凸部２０５と後側凸部２０６、及び、前側開放係止穴１４２と後側開放係止穴１４４によ
って、蓋体５２を開放位置に保持する開放位置保持手段が構成される。
【０１２９】
従って、蓋体５２を閉塞位置に保持することができ、例えば補助タンク５０を手動回収
用として使用中に、補助タンク５０内のコインを取り出すべく補助タンク５０を遊技機本
体４から取り出して上下逆さにしたときに、開口穴５３の閉塞状態を維持できる。また、
手動回収用として使用中に、コインが衝突した衝撃等によって、蓋体５２が移動して弾み
で開口穴５３が開放されるのを防ぐことができ、補助タンク５０を筐体２から取り出した
際に、補助タンク５０内のコインが開口穴５３から漏れ出るのを防ぐことができる。また
、スロットマシン１の搬送時に、蓋体５２が閉塞位置から開放側に回動して開口穴５３が
開放されるのを防ぐことができ、筐体２のコイン回収穴２Ｆから補助タンク５０の開口穴
５３を通して筐体２の内部にゴミなどの異物が侵入するのを防ぐことができる。
【０１３０】
また、蓋体５２を開放位置に保持することができ、例えば補助タンク５０を自動回収用
として使用中に、コインが衝突した衝撃等によって蓋体５２が開放位置から閉塞位置に移
動して開口穴５３を閉塞するのを防ぐことができ、補助タンク５０内にコインが詰まるの
を防ぐことができる。
【０１３１】
前側凸部２０５と後側凸部２０６は、閉塞位置では前側閉塞係止穴１２３と後側閉塞係
止穴１２５に挿入され、開放位置では前側開放係止穴１４２と後側開放係止穴１４４に挿
入されており、閉塞位置と開放位置のいずれにおいても、タンク本体５１の内方にて露出
することはない。従って、コインの衝突による前側凸部２０５や後側凸部２０６の破損を
防ぐことができ、開放位置保持手段又は閉塞位置保持手段による蓋体５２の良好な保持を
確保することができる。
【０１３２】
平板部２０１の上面２０１ａには、複数の小リブ２０７が突設されている。複数の小リ
ブ２０７は、図９に示すように、上面２０１ａの先端側にてコインの外径よりも小さい間
隔で平板部２０１の長手方向に一列に配設されている。これら複数の小リブ２０７は、蓋
体５２を開放位置に保持させた場合に、タンク本体５１の左側壁部１０４と平板部２０１
の上面２０１ａとの間に侵入しようとするコインと当接して、かかる隙間へのコインの侵
入を防ぎ、蓋体５２の開放位置への保持がコインによって解除されるのを防ぐことができ
る。
【０１３３】
また、これら複数の小リブ２０７を設けることによって、開放位置に保持された蓋体５
２の平板部２０１とタンク本体５１の左側壁部１０４との間に形成される間隙の大きさを
、より広く確保することができる。
【０１３４】
従って、蓋体５２を開放位置に保持させる場合に、平板部２０１の先端部の前後方向中
央位置を押して前側凸部２０５を前側対向面１４１に当接させ且つ後側凸部２０６を後側
対向面１４３に当接させて、平板部２０１全体を弓なりに撓ませることができ、前側凸部
２０５と後側凸部２０６を前側開放係止穴１４２と後側開放係止穴１４４に容易に挿入さ
せることができ、蓋体５２を閉塞位置に保持させる作業を容易なものとすることができる
。
【０１３５】
また、蓋体５２の開放位置への保持を解除する場合には、平板部２０１の上面２０１ａ
に凹設された凹部２０１ｅとタンク本体５１の左側壁部１０４との間に指先を挿入して閉
塞方向に向かって付勢することができる。従って、前側凸部２０５を前側開放係止穴１４
２から脱出させ、且つ後側凸部２０６を後側開放係止穴１４４から脱出させることができ
、蓋体５２の保持を解除する作業を容易なものとすることができる。
【０１３６】
尚、本実施の形態では、平板部２０１の上面に複数の小リブ２０７を設けて、開放位置
に保持された平板部２０１の上面２０１ａとタンク本体５１の左側壁部１０４との間に所
定の隙間を積極的に形成すると共に、かかる隙間へのコインの侵入を防止する構成とした
が、これに限定されるものではなく、他の構成を採用してもよい。例えば、小リブ２０７
を省略し、開放位置に保持された平板部２０１の上面２０１ａとタンク本体５１の左側壁
部１０４とを隙間なく接面させて、コインの侵入を阻止すると共に、左側壁部１０４のう
ち、開放位置に保持された平板部２０１に対向する箇所に閉操作用の窓孔を開口形成し、
その窓孔から指を挿入して、蓋体５２を閉塞位置から開放位置側に向かって押し移動させ
る構成としてもよい。
【０１３７】
平板部２０１の下面には、図６に示すように、複数の凸条部２０８が設けられている。
各凸条部２０８は、平板部２０１の長手方向に亘って延在し且つ平板部２０１の横幅方向
に所定間隔をおいて互いに並行に延在するように形成されており、平板部２０１の強度を
補強している。
【０１３８】
軸部２１１は、平板部２０１の基端側にて平板部２０１と一体に形成されており、蓋体
５２の回動中心軸線と同軸上で且つ前側対向面１４１と後側対向面１４３との間に亘る長
さで一直線上に延在し、軸部２１１の両端位置に前側支持軸２１２と後側支持軸２１３が
形成され、軸方向中間位置に中間支持軸２１４が形成されている。
【０１３９】
前側支持軸２１２は、前側支持部１３１に回転自在に支持される構成を有しており、本
実施の形態では、一定径で延在する丸棒形状を有し、前側支持部１３１の後側から前側支
持部１３１の孔部１３３に挿入されて、前側支持部１３１に回転自在に支持されている。
【０１４０】
後側支持軸２１３は、リブ１３５の腕部１３５ａと左側壁部１０４との間で回転自在に
支持され、蓋体５２を所定の傾斜角度位置に配置した場合にのみ、後側支持部１３４から
取り外すことができ、その他の角度位置、例えば閉塞位置や開放位置では後側支持部１３
４からの取り外しが阻止されるように構成されている。
【０１４１】
後側支持軸２１３は、蓋体５２を所定の傾斜角度位置に配置した場合にスリット部１３
４ａに対して径方向幅が狭く、蓋体５２を傾斜角度位置以外の角度位置に配置した場合に
スリット部１３４ａに対して径方向幅が広い断面形状を有し、蓋体５２を傾斜角度位置に
配置して取り外し方向に移動させた場合にスリット部１３４ａを通過させて後側支持部１
３４から取り外し可能な構成を有する。
【０１４２】
後側支持軸２１３は、本実施の形態では、前側支持軸２１２と同一の外径を有する丸棒
の一部を平面状に面取りした形状を有しており、互いに平行な一対の平坦面２１３ａ、２
１３ｂと、各平坦面２１３ａ、２１３ｂの間を連結する断面円弧状の摺動面２１３ｃを有
する。
【０１４３】
一対の平坦面２１３ａ、２１３ｂは、図１２（ａ）に示すように、互いの間隔Ｍが、リ
ブ１３５の爪部１３５ｂと左側壁部１０４の爪部１３６と間のスリット部１３４ａの間隔
Ｌよりも若干短い寸法（Ｍ＜Ｌ）、若しくはほぼ同一の寸法（Ｍ≒Ｌ）となるように形成
されている。
【０１４４】
一対の平坦面２１３ａ、２１３ｂは、図１０に示すように、平板部２０１と面一に延在
する仮想平面に対して、蓋体５２の回動中心軸線である軸部２１１の中心軸線を回転中心
として所定角度だけ回転させた傾斜角度に角度付けされて形成されている。
【０１４５】
平坦面２１３ａ、２１３ｂの傾斜角度は、図１１に示すように、蓋体５２が開放位置と
閉塞位置との中間の予め設定された傾斜角度位置に配置された場合に、一対の平坦面２１
３ａ、２１３ｂが底壁部１０３に対して直交する方向である上下方向に延在する角度に設
定されている。
【０１４６】
従って、蓋体５２を上記傾斜角度位置に配置することによって、後側支持軸２１３の一
対の平坦面２１３ａ、２１３ｂを上下に延在させることができ、後側支持軸２１３の横幅
を一対の平坦面２１３ａ、２１３ｂの間隔とし、スリット部１３４ａの間隔以下とするこ
とができる。従って、蓋体５２をそのままの姿勢状態で図１１に矢印で示す取り外し方向
である上方に移動させることにより、後側支持軸２１３をスリット部１３４ａに通過させ
て後側支持部１３４から取り外すことができる。
【０１４７】
一方、蓋体５２を閉塞位置（図１２（ａ）を参照）、若しくは開放位置（図１２（ｂ）
を参照）に配置した場合には、後側支持軸２１３の横幅がスリット部１３４ａの間隔より
も大きな横幅になり、蓋体５２を取り外し方向である上方に移動させても、後側支持軸２
１３の摺動面２１３ｃがリブ１３５の爪部１３５ｂと左側壁部１０４の爪部１３６に当接
して、後側支持軸２１３をスリット部１３４ａに通過させることはできず、後側支持部１
３４から取り外すことはできない。
【０１４８】
従って、後側支持軸２１３は、リブ１３５の腕部１３５ａと左側壁部１０４との間で回
転自在に支持され、蓋体５２を所定の傾斜角度位置に配置した場合にのみ、後側支持部１
３４から取り外すことができ、蓋体５２を閉塞位置、若しくは開放位置に配置した場合に
は、後側支持部１３４からの取り外しが阻止される。
【０１４９】
尚、本実施の形態では、蓋体５２を所定の傾斜角度位置に配置した場合に後側支持軸２
１３をスリット部１３４ａの間を通過させることができる構成の例として、一対の平坦面
２１３ａ、２１３ｂの間隔Ｍが、スリット部１３４ａの間隔Ｌよりも若干短い寸法（Ｍ＜
Ｌ）、若しくはほぼ同一の寸法（Ｍ≒Ｌ）となるように形成された構成を例に説明したが
、この構成に限定されるものではない。
【０１５０】
例えば一対の平坦面２１３ａ、２１３ｂの間隔Ｍをスリット部１３４ａの間隔Ｌよりも
若干大きい寸法（Ｍ＞Ｌ）とし、蓋体５２を予め設定された傾斜角度位置で取り外し方向
に所定値以上の力で付勢した場合に、リブ１３５の腕部１３５ａを弾性変形させて、スリ
ット部１３４ａの間隔Ｌを広げて、後側支持軸２１３を通過させることができ、その他の
角度位置では後側支持軸２１３を通過させることができない構成としてもよい。
【０１５１】
これによれば、所定の傾斜角度位置に配置された蓋体５２を所定値以上の力で取り外し
方向に付勢しない限り、スリット部１３４ａを通過させることができないので、例えば補
助タンク５０が上下逆に保持されて蓋体５２がタンク本体５１に対して所定の傾斜角度位
置に配置された場合に、後側支持軸２１３が後側支持部１３４から抜け落ちるのを防ぐこ
とができる。
【０１５２】
また、本実施の形態では、後側支持軸２１３は、互いに平行な一対の平坦面２１３ａ、
２１３ｂを有する場合を例に説明したが、この構成に限定されるものではなく、所定の傾
斜角度位置でスリット部１３４ａを通過させることができ、その他の角度位置ではスリッ
ト部１３４ａを通過させることができない形状であればよい。例えば断面が長方形や楕円
形等のように、所定の傾斜角度位置では後側支持軸２１３の径方向幅がスリット部１３４
ａの間隔Ｌよりも狭く、その他の角度位置では後側支持軸２１３の径方向幅がスリット部
１３４ａの間隔以上となる形状でもよい。
【０１５３】
中間支持軸２１４は、蓋体５２を所定の傾斜角度位置に配置した場合にスリット部１３
７ａに対して径方向幅が狭く、蓋体５２を傾斜角度位置以外の角度位置に配置した場合に
スリット部１３７ａに対して径方向幅が広い断面形状を有し、蓋体５２を傾斜角度位置に
配置して取り外し方向に移動させた場合にスリット部１３７ａを通過させて中間支持部２
１４から取り外し可能な構成を有する。
【０１５４】
中間支持軸２１４は、後側支持軸２１３と同一の寸法形状を有しており、一対の平坦面
２１４ａ、２１４ｂがそれぞれ後側支持軸２１３の一対の平坦面２１３ａ、２１３ｂと同
一の平面上に延在するように形成されている。
【０１５５】
一対の平坦面２１４ａ、２１４ｂは、互いの間隔が、リブ１３８の爪部１３８ｂと左側
壁部１０４の爪部１３９との間のスリット部１３７ａの間隔よりも若干短い寸法、若しく
はほぼ同一の寸法形状となるように形成されている。
【０１５６】
従って、蓋体５２を所定の傾斜角度位置に配置することによって、中間支持軸２１４の
一対の平坦面２１４ａ、２１４ｂを、取り外し方向に沿う方向である上下に延在させるこ
とができ、中間支持軸２１４の横幅を一対の平坦面２１４ａ、２１４ｂの間隔とし、スリ
ット部１３７ａの間隔以下とすることができる。従って、蓋体５２をそのままの姿勢状態
で取り外し方向である上方に移動させることにより、中間支持軸２１４をスリット部１３
７ａに通過させて中間支持部１３７から取り外すことができる。
【０１５７】
一方、蓋体５２を閉塞位置、若しくは開放位置に配置した場合には、中間支持軸２１４
の横幅がスリット部１３７ａの間隔よりも大きな横幅になり、蓋体５２を取り外し方向で
ある上方に移動させても、中間支持軸２１４の摺動面２１４ｃがリブ１３８の爪部１３８
ｂと左側壁部１０４の爪部１３９に当接して、中間支持軸２１４をスリット部１３７ａに
通過させることはできず、中間支持部１３７から取り外すことはできない。
【０１５８】
従って、中間支持軸２１４は、リブ１３８の腕部１３８ａと左側壁部１０４との間で回
転自在に支持され、蓋体５２を所定の傾斜角度位置に配置した場合にのみ、中間支持部１
３７から取り外すことができ、蓋体５２を閉塞位置、若しくは開放位置に配置した場合に
は、中間支持部１３７からの取り外しが阻止される。
【０１５９】
本実施の形態では、蓋体５２を所定の傾斜角度位置に配置した場合に中間支持軸２１４
をスリット部１３７ａの間を通過させることができる構成の例として、一対の平坦面２１
４ａ、２１４ｂの間隔Ｍが、スリット部１３７ａの間隔Ｌよりも若干短い寸法、若しくは
ほぼ同一の寸法となるように形成された構成を例に説明したが、この構成に限定されるも
のではない。
【０１６０】
例えば一対の平坦面２１４ａ、２１４ｂの間隔Ｍをスリット部１３７ａの間隔Ｌよりも
若干大きい寸法とし、蓋体５２を予め設定された傾斜角度位置で取り外し方向に所定値以
上の力で付勢した場合に、リブ１３８の腕部１３８ａを弾性変形させて、スリット部１３
７ａの間隔を広げて、中間支持軸２１４を通過させることができ、その他の角度位置では
中間支持軸２１４を通過させることができない構成としてもよい。
【０１６１】
これによれば、所定の傾斜角度位置に配置された蓋体５２を所定値以上の力で取り外し
方向に付勢しない限り、スリット部１３７ａを通過させることができないので、例えば補
助タンク５０が上下逆に保持されて蓋体５２がタンク本体５１に対して所定の傾斜角度位
置に配置された場合に、中間支持軸２１４が中間支持部１３７から抜け落ちるのを防ぐこ
とができる。
【０１６２】
また、本実施の形態では、中間支持軸２１４は、互いに平行な一対の平坦面２１４ａ、
２１４ｂを有する場合を例に説明したが、この構成に限定されるものではなく、所定の傾
斜角度位置でスリット部１３７ａを通過させることができ、その他の角度位置ではスリッ
ト部１３７ａを通過させることができない形状であればよい。例えば断面が長方形や楕円
形等のように、所定の傾斜角度位置では中間支持軸２１４の径方向幅がスリット部１３７
ａよりも狭く、その他の角度位置では中間支持軸２１４の径方向幅がスリット部１３７ａ
の間隔以上となる形状でもよい。
【０１６３】
軸部２１１には、タンク本体５１のリブ１４５、１４６と係合してケース本体５１に対
する軸方向の移動を規制する切欠溝２１５、２１６が形成されている。切欠溝２１５、２
１６は、軸部２１１の軸方向に直交する方向に軸部２１１の一部を切り欠いて形成されて
いる。
【０１６４】
リブ１４５、１４６は、タンク本体５１の底壁部１０１と左側壁部１０４との接続部分
に設けられており、例えば図７及び図１３に示すように、タンク本体５１の前後方向に一
定の厚さ幅を有し、上方から下方に移行するに従って漸次左側壁部１０４から離反するよ
うに傾斜した形状を有する。
【０１６５】
切欠溝２１５、２１６は、リブ１４５、１４６と対応する箇所に形成されており、蓋体
５２を支持手段５６に支持させた場合に、リブ１４５、１４６が挿入され、閉塞位置若し
くは開放位置のいずれにおいてもリブ１４５、１４６と係合し、軸部の軸方向への移動が
規制される（例えば、図１３（ａ）又は図１３（ｂ）を参照）。従って、蓋体５２が軸部
２１１の軸方向に移動されるのを防止し、支持手段５６から蓋体５２が取り外されるのを
防ぐことができる。
【０１６６】
上記蓋体５２のタンク本体５１への組み付けは、まず最初に、蓋体５２をタンク本体５
１の上方から内方に挿入し、蓋体５２の前側支持軸２１２を前側支持部１３１の孔部１３
２に挿入する。それから、例えば図１１に仮想線で示すように、後側支持軸２１３を後側
支持部１３４の上方に配置し、蓋体５２のタンク本体５１に対する傾斜角度を予め設定さ
れた傾斜角度に調整し、一対の平坦面２１３ａ、２１３ｂがそれぞれ上下に延在するよう
に配置する。
【０１６７】
そして、蓋体５２の後部を下方に移動させて、後側支持軸２１３を後側支持部１３４の
リブ１３５の爪部１３５ｂと左側壁部１０４の爪部１３６との間のスリット部１３４ａに
通過させ、図１１に実線で示すように、後側支持部１３４に支持させる。また同時に、中
間支持軸２１４を中間支持部１３７のリブ１３８の爪部１３８ｂと左側壁部１０４の爪部
１３９との間のスリット部１３７ａに通過させ、中間支持部１３７に支持させる。
【０１６８】
これにより、蓋体５２は、タンク本体５１に組み付けられ、タンク本体５１の内方でタ
ンク本体５１に回動自在に支持されて、閉塞位置と開放位置のいずれか一方に選択的に配
置されて、開口穴５３を開放及び閉塞することができる。そして、閉塞位置では、平板部
２０１の下面２０１ｂが水平面部１２１の上面１２１ａに接面してタンク本体５１の開口
穴５３を閉塞するので、コインの重量によって補助タンク５０の底が抜けるのを防ぐこと
ができる。そして、蓋体５２を予め設定された角度位置に保持した状態でタンク本体５１
内に挿入して組み立てるので、製造工場における組立作業を容易化できる。
【０１６９】
上記構成を有する補助タンク５０は、蓋体５２を回動させて閉塞位置と開放位置のいず
れか一方に選択的に配置できるので、開口穴５３を開放状態から閉塞状態に切り替えて手
動回収に対応させ、また、閉塞状態から開放状態に切り替えて自動回収に対応させること
ができる。
【０１７０】
従って、例えば遊技媒体であるコインが自動回収される遊技ホールや島設備に配設され
ていたスロットマシン１を、コインが手動回収される遊技ホールや島設備に移動させた場
合に、補助タンク５０の蓋体５２を開放位置から閉塞位置に回動させて、補助タンク５０
の開口穴５３を閉塞し、補助タンク５０を自動回収に対応するものから手動回収に対応す
るものに変更することができる。
【０１７１】
従って、補助タンク５０を新たに購入する必要がなく、スロットマシン１の移設に伴う
コストを低減することができる。また、蓋体５２がタンク本体５１に回動自在に支持され
ているので、例えば補助タンク５０の開口穴５３を開放させた状態で使用していた場合に
、蓋体５２の紛失を防ぐことができる。
【０１７２】
また、例えばコインが自動回収される遊技ホールや島設備に配設されていたスロットマ
シン１を、コインが手動回収される遊技ホールや島設備に移動させる場合に、補助タンク
５０の蓋体５２を閉塞位置に保持させて、筐体２の底板２Ｂに開口しているコイン回収穴
２Ｆを補助タンク５０によって閉塞し、筐体２の内部と外部との間を隔絶することができ
る。従って、コイン回収穴２Ｆから筐体２の内部にゴミなどの異物が侵入するのを防ぐこ
とができる。
【０１７３】
また、補助タンク５０は、蓋体５２が開放位置と閉塞位置の中間の予め設定された傾斜
角度位置に配置された状態でのみ、後側支持軸２１３と中間支持軸２１４を後側支持部１
３４と中間支持部１３７に対して上方に移動させて取り外すことができ、蓋体５２が閉塞
位置や開放位置に配置されている場合には、取り外すことができないようになっている。
【０１７４】
これにより、蓋体５２をタンク本体５１から取り外すことができる位置を、蓋体５２の
姿勢が不安定で位置決めが困難な位置としている。従って、蓋体５２の姿勢が安定して蓋
体５２に対する不正行為が行われやすい位置である、閉塞位置や開放位置での蓋体５２の
取り外しを困難なものとし、蓋体５２の取り外しによる不正行為を有効に防止できる。
【０１７５】
また、前側支持軸２１２を軸方向に移動させて前側支持部１３１の孔部１３３から取り
外す構造としたので、支持手段５６から蓋体５２を取り外すには、蓋体５２の後部を取り
外し方向である上方に移動させて後側支持軸２１３及び中間支持軸２１４を後側支持部１
３４及び中間支持部１３７から取り外した後に、蓋体５２を後方に移動させて前側支持軸
２１２を前側支持部１３１の孔部１３３から引き抜く必要があり、蓋体５２の取外作業の
困難化が図られている。従って、支持手段５６から蓋体５２が簡単に取り外されるのを防
ぐことができる。
【０１７６】
尚、本実施の形態では、蓋体５２を所定の傾斜角度位置に配置した場合に、後側支持軸
２１３及び中間支持軸２１４を後側支持部１３４及び中間支持部１３７から上方に取り外
すことができる構成の場合を例に説明したが、これに限定されるものではなく、前側支持
軸２１２も同様に前側支持部１３１から取り外し方向である上方に向かって取り外すこと
ができる構成としてもよい。
【０１７７】
図１６は、筐体２の内方に補助タンク５０が装着された状態を正面から示す断面図であ
り、図１７は、図１６の要部を拡大して示した補助タンク５０の蓋体５２の動きを説明す
る図である。
【０１７８】
上記構成を有する補助タンク５０を、蓋体５２が閉塞位置に配置された状態で筐体２の
内方に装着した場合、図４及び図１６に示すように、タンク本体５１の第１センサ挿入穴
１６１と第２センサ挿入穴１６２にセンサ棒１９Ａ、１９Ｂが挿入され、センサ棒１９Ｂ
が蓋体５２の回動軌跡の途中位置で且つ蓋体５２の開放側に対向する位置に配置される。
【０１７９】
従って、蓋体５２が閉塞位置から開放側に回動された場合に、図１７に示すように、セ
ンサ棒１９Ｂに蓋体５２の平板部２０１の上面２０１ａを当接させて蓋体５２の開放側へ
の回動を規制することができる。
【０１８０】
従って、例えばスロットマシン１を島設備に設置する前や、中古機として移設するため
に島設備から取り外された状態等、スロットマシン１単体の状態とされて筐体２の底板２
Ｂのコイン回収穴２Ｆが露出する状況において、蓋体５２を閉塞位置に配置した状態で補
助タンク５０を本体４内に装着しておくことにより、コイン回収穴２Ｆから手や器具等が
挿入されて蓋体５２が閉塞位置から開放側に回動する方向に付勢された場合に、蓋体５２
をセンサ棒１９Ｂに当接させて、蓋体５２の開放側への回動を規制し、開口穴５３が開放
されるのを防ぐことができる。
【０１８１】
従って、筐体２のコイン回収穴２Ｆから補助タンク５０の開口穴５３を通して本体４内
に針金や特殊工具等の異物が挿入されるのを防ぐことができ、このような異物を使用した
種々の不正行為を未然に防ぐことができる。
【０１８２】
また、本実施の形態では、蓋体５２をタンク本体５１から取り外すことが可能な傾斜角
度位置よりも、蓋体５２を開放側に回動させてセンサ棒１９Ｂに当接させた場合の傾斜角
度位置の方が閉塞側に位置するように、センサ棒１９Ｂの高さ位置が設定されている。
【０１８３】
従って、蓋体５２が閉塞位置から開放側に回動する方向に付勢された場合に、センサ棒
１９Ｂに当接させて蓋体５２の開放側への回動を規制すると共に、蓋体５２がタンク本体
５１から取外可能な傾斜角度位置に配置されるのを防ぐことができる。
【０１８４】
従って、蓋体５２がタンク本体５１から取り外されて開口穴５３が開放されるのを防ぐ
ことができ、例えば筐体２のコイン回収穴２Ｆから補助タンク５０の開口穴５３を通して
本体４内に針金や特殊工具等の異物が挿入されるのを防ぎ、このような異物を使用した種
々の不正行為を未然に防ぐことができる。
【０１８５】
また、補助タンク５０は、筐体２の内方に装着されて前面扉３を閉じた場合に、図４及
び図１６に示すように、タンク本体５１が右側板２Ｅ、背板２Ｃ、スピーカ３２Ｒ等に当
接して補助タンク移動規制手段として作用し、補助タンク５０の上下左右、及び前後の移
動が規制される。
【０１８６】
従って、従来から遊技機本体４内に存在する既存部材を利用して補助タンク５０の移動
を規制することができ、部品点数を増加させることなく、補助タンク移動規制手段を構成
することができる。
【０１８７】
従って、コイン回収穴２Ｆから手や器具等が挿入されて補助タンク５０の位置が変更さ
れるのを防ぐことができ、コイン回収穴２Ｆから筐体２の内部に連通する隙間が形成され
るのを防ぐことができる。
【０１８８】
従って、筐体２のコイン回収穴２Ｆから隙間を通して筐体２の内部に針金等の異物が挿
入されるのを防止でき、このような異物を使用した種々の不正行為を未然に防ぐことがで
きる。
【０１８９】
尚、上述の実施の形態では、蓋体５２がタンク本体５１に回動自在に支持されて、蓋体
回動規制手段であるセンサ棒１９Ｂによって蓋体５２の開放側への回動を規制する場合を
例に説明したが、蓋体５２が開放側に移動されるのを防ぐものであればよく、蓋体移動規
制手段を設けて、蓋体５２の開放側への移動を規制し、またその規制を解除する構成とし
てもよい。
【０１９０】
また、上述の実施の形態では、蓋体５２に後側支持軸２１３等を設け、タンク本体５１
に後側支持部１３４等を設けた構成を例に説明したが、これに限定されるものではなく、
例えば蓋体５２に支持部を設け、タンク本体５１に支持軸を設けたものであってもよい。
【０１９１】
また、上述の実施の形態では、タンク本体５１の底壁部１０１に形成された開口穴５３
を蓋体５２によって開閉する補助タンク５０の場合を例に説明したが、底壁部１０１に開
口穴５３が設けられておらず、完全に閉塞された補助タンクの場合も、コイン回収穴２Ｆ
から筐体２の底板２Ｂと補助タンクとの間に隙間が形成されるのを防ぐことができ、かか
る隙間を通して筐体２の内部に針金等の異物が挿入されるのを防止できる。
【０１９２】
［第２実施の形態］
図１８は、本発明が適用される第２実施の形態を説明する図であり、図１７に対応する
図である。第１実施の形態と同様の構成要素には同一の符号を付することでその詳細な説
明を省略する。
【０１９３】
本実施の形態において特徴的なことは、蓋体５２を閉塞位置から開放側に回動させてセ
ンサ棒１９Ｂに当接させた状態で蓋体５２とタンク本体５１の内面との間に介在される庇
部６１を補助タンク５０に設けたことである。
【０１９４】
庇部６１は、補助タンク５０の内方で且つ蓋体５２の回動を阻害しない位置に設けられ
ており、図１８に示すように、センサ棒１９Ｂに蓋体５２を当接させた場合に蓋体５２の
先端部よりも上方の高さ位置に設けられている。
【０１９５】
庇部６１は、右側壁部１０５の下部から左側壁部１０４側に向かって突出し、蓋体５２
の先端部と右側壁部１０５の内面との間に亘る横幅で蓋体５２の前後に沿って延在する。
【０１９６】
従って、蓋体５２を開放側に回動させてセンサ棒１９Ｂに当接させた場合に、蓋体５２
の先端部と右側壁部１０５の内面との間に形成される開口隙間に庇部６１を介在させて、
かかる開口隙間を閉塞することができる。従って、開口隙間から本体４内に針金や特殊工
具等の異物が挿入されるのを困難化ができ、このような異物を使用した種々の不正行為を
未然に防ぐことができる。
【０１９７】
［第３実施の形態］
図１９は、本発明が適用される第３実施の形態を説明する図であり、図１７に対応する
図である。第１実施の形態と同様の構成要素には同一の符号を付することでその詳細な説
明を省略する。
【０１９８】
本実施の形態において特徴的なことは、補助タンク５０を筐体２の内方に装着して蓋体
５２を閉塞位置から開放側に回動させた場合に、蓋体５２の先端部とタンク本体５１の右
側壁部１０５の内面との間に形成される開口隙間が漸次拡大されるのを防ぐ湾曲部６２を
補助タンク５０に設けたことである。
【０１９９】
湾曲部６２は、蓋体５２の回動を阻害しない位置に設けられており、図１９に示すよう
に、右側壁部１０５の下部に突設されている。湾曲部６２は、蓋体５２が閉塞位置からセ
ンサ棒１９Ｂに当接するまでの蓋体５２の先端部の回動軌跡に沿って断面が略円弧状に湾
曲する湾曲形状を有する。そして、本実施の形態では、湾曲部６２の上端と庇部６１の先
端部とが連結して形成されている。
【０２００】
従って、蓋体５２を閉塞位置から開放側に回動させた場合に、蓋体５２の先端部とタン
ク本体５１の右側壁部１０５の内面との間に形成される開口隙間が漸次拡大されるのを防
ぐことができる。従って、かかる開口隙間から遊技機本体４内に針金や特殊工具等の異物
が挿入されるのを困難化でき、このような異物を使用した種々の不正行為を未然に防ぐこ
とができる。
【０２０１】
尚、湾曲部６２の断面形状は、厳密な円弧に限定されるものではなく、開口隙間から遊
技機本体４内に異物を挿入する行為を困難化できればよく、例えば複数の短い直線を円弧
状に連続して配列させたものなど、略円弧状のものも含まれる。
【０２０２】
［第４実施の形態］
図２０は、本発明が適用される第４実施の形態を説明する図であり、図１７に対応する
図である。第１実施の形態と同様の構成要素には同一の符号を付することでその詳細な説
明を省略する。
【０２０３】
本実施の形態において特徴的なことは、第１実施の形態と比較して第２センサ挿入穴１
６２を蓋体５２に接近させた位置に形成し、かかる第２センサ挿入穴１６２にセンサ棒１
９Ｂが挿入される構成としたことである。
【０２０４】
この構成によれば、補助タンク５０を筐体２の内方に装着した場合に、蓋体５２に対し
てセンサ棒１９Ｂが、より接近した位置で且つ蓋体５２の先端側に配置される。
【０２０５】
従って、かかる状態から蓋体５２が開放側に回動された場合に、蓋体５２の開き角度を
、より小さくすることができ、蓋体５２と開口穴５３との間に形成される開口隙間を、よ
り狭くすることができる。従って、筐体２のコイン回収穴２Ｆから補助タンク５０の開口
穴５３を通して筐体２の内部に針金等の異物を挿入する行為を、より困難なものとするこ
とができ、不正行為を効果的に防ぐことができる。
【０２０６】
［第５実施の形態］
図２１、２２は、本発明が適用される第５実施の形態を説明する図である。尚、第１実
施の形態と同様の構成要素には同一の符号を付することでその詳細な説明を省略する。
【０２０７】
本実施の形態において特徴的なことは、一直線状のセンサ棒１９Ｂの代わりに、クラン
ク形状のセンサ棒１９Ｃを使用し、センサ棒１９Ｃの取付姿勢状態を、先端部７３が基端
部７１よりも下方の高さ位置に位置する回動規制姿勢状態と、先端部７３が基端部７１の
高さ位置以上の高さ位置に位置するセンサ使用姿勢状態のいずれか一方に選択的に切り替
えて、センサ棒１９Ｃをコインの貯留状態を優位に検出する場合と蓋体５２の回動を規制
する場合に適宜切り替えて使用可能な構成としたことである。
【０２０８】
センサ棒１９Ｃは、導電性の金属製材料からなる六角柱状の棒部材をクランク状に形成
することによって構成されている。センサ棒１９Ｃの基端部７１は、一定の断面形状で一
直線状に延在し、ソケット７０に一端が挿入されて支持された場合に、筐体２の前方に向
かって延在し、補助タンク５０の第２センサ挿入穴１６３に挿通されてタンク本体５１の
開口穴５３の上方位置まで到達する長さを有する。
【０２０９】
センサ棒１９Ｃの先端部７３は、基端部７１の他端で折曲されて基端部７１の軸方向に
直交する方向に突出する段差部７２の先端で基端部７１と離反する方向に折曲されて、基
端部７１と偏位して延在する形状を有する。
【０２１０】
筐体２の背板２Ｃには、センサ棒１９Ｃが着脱自在に支持されるソケット７０が設けら
れている。ソケット７０は、筐体２の前方に向かって開口し、センサ棒１９Ｃの基端部７
１を挿入して嵌合可能な六角穴７０ａを有する。
【０２１１】
ソケット７０の六角穴７０ａは、回転規制姿勢状態で基端部７１が挿入された場合に、
センサ棒１９Ｃをそのままの回動規制姿勢状態で支持し、センサ使用姿勢状態で基端部７
１が挿入された場合に、センサ棒１９Ｃをそのままのセンサ使用姿勢状態で支持するよう
に、位相が設定されている。
【０２１２】
これにより、例えばセンサ棒１９Ｃを回動規制姿勢状態でソケット７０に取り付けた場
合には、図２１及び図２２に実線で示すように、センサ棒１９Ｃの先端部７３を、基端部
７１の高さ位置よりも下方の高さ位置に配置することができ、蓋体５２の上面２０１ａに
対して、より接近させた位置に対向配置することができる。
【０２１３】
従って、基端部７１が筐体２の背板２Ｃに支持される高さ位置を低くすることなく、筐
体５２が開放側に回動される開き角度を小さくすることができ、蓋体５２とタンク本体５
１の内面との間に形成される開口隙間を狭くすることができる。従って、かかる開口隙間から針金や特殊工具等の異物を挿入する行為を、より困難なものとすることができ、不正行為を効果的に防ぐことができる。
【０２１４】
従って、例えばスロットマシン１を中古機として移動する場合等、スロットマシン１単
体の状態とされてコイン回収穴２Ｆが露出される状況において、蓋体を閉塞位置に配置し
た状態で補助タンクを筐体２の内方に装着し、センサ棒１９Ｃを回動規制姿勢状態でソケ
ット７０に取り付けることによって、蓋体５２の開放側への回動を規制することができる
。
【０２１５】
一方、センサ棒１９Ｃをセンサ使用姿勢状態でソケット７０に取り付けた場合に、図２
１及び図２２に仮想線で示すように、センサ棒１９Ｃの先端部７３を、基端部７１の高さ
位置以上の高さ位置に配置することができ、例えばタンク本体５１の内方でコインの貯留
状態を検出するのに好適な高さ位置に配置することができる。
【０２１６】
従って、例えばスロットマシン１を使用する場合等、センサ棒１９Ｃを、コインの貯留
状態を検出するセンサとして使用することができる。そして、補助タンク５０を筐体２の
内方に装着する際、及び、筐体２の内方から取り出す際に、センサ棒１９Ｃを第２ソケッ
ト挿入穴１６３に通過させることができる。第２ソケット挿入穴１６３は、長軸が上下に
延在する長穴形状を有するようにタンク本体５１の後壁部１０３に開口して形成されてお
り、センサ使用姿勢状態のセンサ棒１９Ｃを通過させることができる位置に設けられてい
る。
【０２１７】
本実施の形態によれば、センサ棒１９Ｃの姿勢状態をセンサ棒１９Ｃの使用状況に応じ
て簡単に切り替えることができ、蓋体５２の回動規制とその解除を簡単に行うことができ
る。
【０２１８】
尚、上述の第５実施の形態では、筐体２の背板２Ｃに設けたソケット７０に、センサ棒
１９Ｃを着脱自在に取り付ける構造の場合を説明したが、センサ棒１９Ｃを背板２Ｃに回
転自在に支持し、先端部７３を上方位置と下方位置のいずれか一方に選択的に固定する構
造としてもよい。
【０２１９】
例えば、センサ棒１９Ｃの基端部７１から同軸上に突出する雄ねじ部を、筐体２の背板
２Ｃに設けられた雌ねじ部に螺入してセンサ棒１９Ｃを取り付ける構造とした場合には、
蓋体５２が開放側に移動されてセンサ棒１９Ｃに当接した際に、蓋体５２からセンサ棒１
９Ｃに加えられる力の向きを、センサ棒１９Ｃを螺入方向に回転させる方向となるように
構成することができる。従って、蓋体５２を開放側に回動させようとした場合に、背板２
Ｃの雌ねじ部に対してセンサ棒１９Ｃの雄ねじ部をより締め込むことができ、センサ棒１
９Ｃが取り外されるのを防ぐことができる。
【０２２０】
また、センサ棒１９Ｃは、略クランク状の場合を例に説明したが、例えば先端部７３を
省略し、基端部７１と段差部７２とからなる略Ｌ字状としてもよい。
【０２２１】
本発明は、上述の各実施の形態に限定されるものではなく、本発明の趣旨を逸脱しない
範囲で種々の変更が可能である。例えば、上述の各実施の形態では、蓋体５２の開放側へ
の回動を規制するストッパとして、センサ棒１９Ｂ、又は１９Ｃを利用する場合を例に説
明したが、センサ棒１９Ｂ、又は１９Ｃとは別個にストッパを設けてもよい。
【０２２２】
また、上述の各実施の形態では、補助タンク５０、６０の筐体２の内方における位置決
めを、ホッパ１５、スピーカ３２Ｒ、右側板２Ｅ、背板２Ｃ等によって行う場合を例に説
明したが、レール部材等を設けて補助タンク５０を筐体２の内方で前後方向に案内可能に
支持し、前後左右、及び上下方向の移動を規制してもよい。
【図面の簡単な説明】
【０２２３】
【図１】スロットマシンの前面扉が閉じた状態を示す斜視図である。
【図２】スロットマシンの前面扉が開いた状態を示す斜視図である。
【図３】スロットマシンの筐体内を正面から示す図である。
【図４】図３のＩ−Ｉ線断面矢視図である。
【図５】補助タンクの開口部が蓋体によって閉塞された状態を示す補助タンクの斜視図である。
【図６】補助タンクの開口部が開放された状態を示す補助タンクの斜視図である。
【図７】補助タンクの平面図である。
【図８】図７のＩＩ−ＩＩ線断面矢視図である。
【図９】蓋体を示す斜視図である。
【図１０】蓋体の側面図である。
【図１１】蓋体をタンク本体に取り付ける取付方法を説明する図である。
【図１２】蓋体の支持状態を説明する図である。
【図１３】図５のＩＩＩ−ＩＩＩ線断面矢視図である。
【図１４】図７のＩＶ−ＩＶ線断面矢視図である。
【図１５】図６のＶ−Ｖ線断面矢視図である。
【図１６】筐体の内方に補助タンクが装着された状態を正面から示す断面図である。
【図１７】図１６の要部を拡大して示した蓋体の動きを説明する図である。
【図１８】第２実施の形態を説明する図である。
【図１９】第３実施の形態を説明する図である。
【図２０】第４実施の形態を説明する図である。
【図２１】第５実施の形態を説明する図であり、センサ棒の構成を一部断面によって示す側面図である。
【図２２】図２１のＶＩ−ＶＩ線断面矢視図である。
【符号の説明】
【０２２４】
１  スロットマシン（遊技機）
２  筐体
３  前面扉
４  本体（遊技機本体）
１５  ホッパ
１９Ａ、１９Ｂ、１９Ｃ  センサ棒
５０  補助タンク
５１  タンク本体
５２  蓋体
５３  開口穴
６１  庇部
６２  湾曲部
７０  ソケット
１０１  底壁部
１２３  前側閉塞係止穴（閉塞係止穴）
１２５  後側閉塞係止穴（閉塞係止穴）
１３１  前側支持部（第１支持部）
１３３  孔部
１３４  後側支持部（支持部、第２支持部）
１３４ａ、１３７ａ  スリット部
１４２  前側開放係止穴（開放係止穴）
１４４  後側開放係止穴（開放係止穴）
１６１  第１センサ挿入穴
１６２、１６３  第２センサ挿入穴
２０１  平板部
２０５  前側凸部（凸部）
２０６  後側凸部（凸部）
２１２  前側支持軸（第１支持軸）
２１３  後側支持軸（支持軸、第２支持軸）
２１３ａ、２１３ｂ  平坦面
２１３ｃ  摺動面
【図１】
0005169229.tif 000002
【図２】
0005169229.tif 000003
【図３】
0005169229.tif 000004
【図４】
0005169229.tif 000005
【図５】
0005169229.tif 000006
【図６】
0005169229.tif 000007
【図７】
0005169229.tif 000008
【図８】
0005169229.tif 000009
【図９】
0005169229.tif 000010
【図１０】
0005169229.tif 000011
【図１１】
0005169229.tif 000012
【図１２】
0005169229.tif 000013
【図１３】
0005169229.tif 000014
【図１４】
0005169229.tif 000015
【図１５】
0005169229.tif 000016
【図１６】
0005169229.tif 000017
【図１７】
0005169229.tif 000018
【図１８】
0005169229.tif 000019
【図１９】
0005169229.tif 000020
【図２０】
0005169229.tif 000021
【図２１】
0005169229.tif 000022
【図２２】
0005169229.tif 000023